(57)【特許請求の範囲】
【請求項１】
高圧液噴射装置と、タンクと、ノズルと、カバーと、吸引装置と、ろ過器とを有し、
前記高圧液噴射装置は前記タンクおよび前記ノズルに接続され、前記タンクに収容される洗浄液を前記ノズルの噴射口から高圧で噴射する構成を有し、
前記カバーは前記ノズルの噴射口を包囲するよう前記ノズルに設けられ、噴射対象を被覆可能に前記ノズルの噴射口より噴射対象側に突出した開口を有し、
前記吸引装置は前記カバーの内部に吸引口を有し、その吸引口から前記カバーの内部を吸引して前記タンクの内部に回収する構成を有し、
前記ろ過器は前記吸引口と前記タンクとの間に、前記吸引口からの吸引物を洗浄液と固形物とに分離し、分離した洗浄液を前記タンクの内部に送る構成を有し、
前記ノズルは前記噴射口に連続する螺旋状の洗浄液噴射経路を有し、前記噴射口の周囲に前記カバーの開口より噴射対象側に突出するよう伸びて、噴射対象とともに前記カバーの内壁をブラッシングするよう設けられた可撓性ブラシを有し、
前記カバーは前記開口から前記吸引口まで螺旋状の回収経路を有することを、
特徴とする剥離洗浄器。
【発明の詳細な説明】
【０００１】
【発明の属する技術分野】
本発明は、路面、床面、壁面等を洗浄するための剥離洗浄器に関し、特に、舗道用平板に付着するチューインガムなどの汚れを剥離、除去するのに適した剥離洗浄器に関する。
【０００２】
【従来の技術】
路上に吐き捨てたチューインガムは、舗道用平板などの表面に張り付くと黒い汚れとなってこびりつき、景観を悪くする。このガムの汚れを除去するため、薬剤を使用する方法や、へらで掻き落とす方法がある。
【０００３】
【発明が解決しようとする課題】
しかしながら、薬剤を使用する方法では、薬剤が環境を汚染するという課題があった。また、へらで掻き落とす方法では、手作業で行う必要があるため、作業効率が悪く、時間がかかるという課題があった。
【０００４】
本発明は、このような従来の課題に着目してなされたもので、環境を汚染せず、作業効率が良好で短時間で洗浄可能な剥離洗浄器を提供することを目的としている。
【０００５】
【課題を解決するための手段】
上記目的を達成するために、本発明に係る剥離洗浄器は、高圧液噴射装置と、タンクと、ノズルと、カバーと、吸引装置と、ろ過器とを有し、前記高圧液噴射装置は前記タンクおよび前記ノズルに接続され、前記タンクに収容される洗浄液を前記ノズルの噴射口から高圧で噴射する構成を有し、前記カバーは前記ノズルの噴射口を包囲するよう前記ノズルに設けられ、噴射対象を被覆可能に前記ノズルの噴射口より噴射対象側に突出した開口を有し、前記吸引装置は前記カバーの内部に吸引口を有し、その吸引口から前記カバーの内部を吸引して前記タンクの内部に回収する構成を有し、前記ろ過器は前記吸引口と前記タンクとの間に、前記吸引口からの吸引物を洗浄液と固形物とに分離し、分離した洗浄液を前記タンクの内部に送る構成を有し、前記ノズルは前記噴射口に連続する螺旋状の洗浄液噴射経路を有し、前記噴射口の周囲に前記カバーの開口より噴射対象側に突出するよう伸びて、噴射対象とともに前記カバーの内壁をブラッシングするよう設けられた可撓性ブラシを有し、前記カバーは前記開口から前記吸引口まで螺旋状の回収経路を有することを、特徴とする。
【０００６】
洗浄液は、水だけから成っても、合成洗剤などを含む水や、エタノールなどの有機溶剤から成ってもよい。また、洗浄液は、汚れを剥離しやすくするため、洗浄用粒子を含んでいてもよい。高圧液噴射装置は、コンクリートを切断する圧力で洗浄液を噴射可能であって噴射する圧力を調節可能なものが好ましい。カバーは、噴射対象を確認できるよう透明な材質から成ることが好ましい。吸引装置は、吸引量を調整可能であることが好ましい。
【０００７】
本発明に係る剥離洗浄器で、チューインガムなどの汚れが張り付いた舗道用平板を洗浄する場合、ノズルの噴射口を噴射対象となる汚れた部分に向け、カバーの開口で噴射対象を覆う。タンクに収容される洗浄液をノズルの噴射口から噴射対象に向けて高圧で噴射する。高圧で噴射された洗浄液は、舗道用平板に張り付いたチューインガムなどの汚れを剥離させて吹き飛ばし、舗道用平板を洗浄する。洗浄液の噴射と同時に、吸引装置で吸引口からカバーの内部を吸引する。汚れを含んだ洗浄液は、カバーで覆われているため周囲に飛散せずに、吸引口から吸引されてタンクの内部に回収される。回収された洗浄液は、再び洗浄液としてノズルから噴射され、循環する。このため、洗浄液を効率良く利用することができる。
【０００８】
本発明に係る剥離洗浄器では、薬剤を使用しなくても高圧の洗浄液でチューインガムなどの汚れを落とすことができ、薬剤を使用した場合でも洗浄液をタンク内に回収できる。このため、洗浄した周囲の環境を薬剤で汚染するのを防ぐことができる。また、本発明に係る剥離洗浄器では、洗浄液の圧力で汚れを落とすため、手作業の洗浄に比べて作業効率が良好で、短時間で洗浄を行うことができる。
【００１０】
本発明に係る剥離洗浄機は、ろ過器を有し、吸引口からの吸引物が洗浄液と固形物とに分離され、分離した洗浄液がタンクの内部に送られる。このため、タンクの内部の洗浄液が汚れにくく、洗浄液の使用期間を伸ばすことができる。また、ノズルは噴射口に連続する螺旋状の洗浄液噴射経路を有するため、洗浄液を螺旋状の洗浄液噴射経路に沿って回転力を加えて噴射する。このため、こびりついた汚れを掻き落とす効果を高めることができる。カバーは開口から吸引口まで螺旋状の回収経路を有するため、汚れを含んだ洗浄液は吸引される際、回収経路に沿って回転しながら移動し、剥離した汚れがカバーの内壁に付着しにくい。
【００１１】
本発明に係る剥離洗浄器では、ノズルから高圧で噴射された洗浄液が直接、汚れを落とすとともに、噴射される洗浄液の圧力で可撓性ブラシがランダムに動き、汚れを掻き落とすのを助ける。さらに、可撓性ブラシが噴射対象とともにカバーの内壁をブラッシングするため、剥離した汚れをカバーの内壁に付着しにくくすることができる。
【００１２】
【発明の実施の形態】
以下、図面に基づき本発明の実施の形態について説明する。
図１は、本発明の実施の形態を示している。
図１に示すように、剥離洗浄器は、高圧液噴射装置１と、タンク２と、ノズル３と、カバー４と、吸引装置５と、ろ過器６と、台車７とを有している。
【００１３】
高圧液噴射装置１は、発電機８と高圧ポンプ９とを備え、高圧ポンプ９はタンク２およびノズル３にチューブ１ａで接続されている。タンク２は、洗浄液を貯める容器から成る。洗浄液は、洗剤を含んだ温水から成る。ノズル３は、把手３ａを有し、銃型の形状を有している。ノズル３の噴射口３ｂの口径は一例では０．２ミリであるが、ノズル３は他の口径サイズのものと交換することができる。ノズル３は、噴射口３ｂの調整により、洗浄液の吹き付け面積を調整可能である。ノズル３は、噴射口３ｂに連続する螺旋状の洗浄液噴射経路を内部に有している。
【００１４】
高圧ポンプ９は、発電機８で稼働し、タンク２に収容される洗浄液をノズル３の噴射口３ｂから高圧で噴射するようになっている。高圧ポンプ９が洗浄液を噴射する圧力は、毎分０．５リットル以上である。このため、噴射口３ｂの口径が０．２ミリのノズル３を用いた場合、高圧液噴射装置１は、コンクリートを切断する圧力で洗浄液を噴射可能である。高圧ポンプ９は、ノズル３の吹き付け面積を調整することにより、洗浄液の噴射する圧力を調整することができる。
【００１５】
カバー４は、筒状であって、ノズル３を中心軸線上に配置し、ノズル３の噴射口３ｂを包囲するようノズル３の噴射口側に設けられている。カバー４は、ノズル３と一体に設けられている。吸引装置５は、カバー４の内部に吸引口５ａを有している。カバー４は、噴射対象を被覆可能にノズル３の噴射口３ｂより噴射対象側に突出した開口４ａを有する。カバー４は、開口４ａから吸引口５ａまで螺旋状の回収経路４ｂを有している。回収経路４ｂは、カバー４の内壁に形成された突条から成る。カバー４は、開口４ａを除いて閉じた形状となっている。カバー４は、噴射対象を確認できるよう透明な塩化ビニル樹脂から成る。カバー４は、柔軟性を有するため、開口４ａを路面や壁面に付けたとき、路面や壁面に密着させることができる。
【００１６】
吸引装置５は、吸引口５ａからチューブ５ｂを介してカバー４の内部を吸引してタンク２の内部に回収するようタンク２に接続されている。吸引装置５は、高圧液噴射装置１の発電機８で稼働するようになっている。吸引装置５は、単位時間当たりの吸引量を調整可能である。
【００１７】
ろ過器６は、吸引装置５の吸引口５ａとタンク２との間に取外し可能に設けられている。ろ過器６は、吸引口５ａからの吸引物を洗浄液と固形物とに分離し、分離した洗浄液をタンク２の内部に送るようになっている。台車７は、高圧液噴射装置１とタンク２と吸引装置５とろ過器６とを積載し、移動可能である。
【００１８】
剥離洗浄器は、舗道用平板、透水用平板、ペデストリアンデッキの歩道などに付着した汚れ、特に、吐き捨てたチューインガムがこびりついた汚れを除去するのに用いられる。剥離洗浄器で、チューインガムなどの汚れが張り付いた舗道用平板を洗浄する場合、ノズル３の噴射口３ｂを噴射対象となる汚れた部分に向け、カバー４の開口４ａで噴射対象を覆う。
【００１９】
タンク２に収容される洗浄液をノズル３の噴射口３ｂから噴射対象に向けて高圧で噴射する。噴射対象は、透明なカバー４を透して外側から確認することができる。高圧で噴射された洗浄液は、舗道用平板に張り付いたチューインガムなどの汚れを剥離させてカバー４内で吹き飛ばし、カバー４の内側の舗道用平板を洗浄する。特に、ノズル３は噴射口３ｂに連続する螺旋状の洗浄液噴射経路を有するため、洗浄液を螺旋状の洗浄液噴射経路に沿って回転力を加えて噴射する。このため、こびりついた汚れを掻き落とす効果を高めることができる。
【００２０】
洗浄液の噴射と同時に、吸引装置５で吸引口５ａからカバー４の内部を吸引する。吸引装置５は、単位時間当たりの吸引量が高圧ポンプ９の単位時間当たりの噴射量以上となるように吸引力を調整しておく。汚れを含んだ洗浄液は、カバー４で覆われているため周囲に飛散せずに、吸引口５ａから吸引される。カバー４は開口４ａから吸引口５ａまで螺旋状の回収経路４ｂを有するため、汚れを含んだ洗浄液は吸引される際、回収経路４ｂに沿って回転しながら移動し、剥離した汚れがカバー４の内壁に付着しにくい。
【００２１】
吸引口５ａからの吸引物は、ろ過器６で洗浄液と粉塵などの固形物とに分離され、分離した洗浄液がタンク２の内部に送られる。このため、タンク２の内部の洗浄液が汚れにくく、洗浄液の使用期間を伸ばすことができる。タンク２の内部に回収された洗浄液は、再び洗浄液としてノズル３から噴射され、循環する。このため、洗浄液を効率良く利用することができる。カバー４で被覆した箇所の汚れを除去したならば、ノズル３を持ってカバー４の開口４ａの位置を移動し、他の汚れを除去する。
【００２２】
剥離洗浄器では、薬剤を使用しなくても高圧の洗浄液でチューインガムなどの汚れを落とすことができ、薬剤を使用した場合でも洗浄液をタンク２の内部に回収できる。このため、洗浄した周囲の環境を薬剤で汚染するのを防ぐことができる。また、剥離洗浄器では、洗浄液の圧力で汚れを落とすため、手作業の洗浄に比べて作業効率が良好で、短時間で洗浄を行うことができる。なお、強くこびりついた汚れがない場合には、ノズル３を口径サイズが大きいノズルと交換すれば、洗浄をより効率的に行うことができる。
【００２３】
剥離洗浄器では、図２に示すように、ノズル３が噴射口３ｂの周囲に可撓性ブラシ１０を有していてもよい。可撓性ブラシ１０は、複数の細長い毛状部材から成り、洗浄液の噴射経路を横切り、カバー４の開口４ａより噴射対象側に突出するよう伸びている。
この場合、ノズル３の噴射口３ｂからから高圧で噴射された洗浄液が直接、汚れを落とすとともに、噴射される洗浄液の圧力で可撓性ブラシ１０がランダムに動き、汚れを掻き落とすのを助ける。このため、汚れを掻き落とす効果をさらに高めることができる。
【００２４】
【発明の効果】
本発明に係る剥離洗浄器によれば、環境を汚染せず、作業効率が良好で短時間で洗浄を行うことができる。
【図面の簡単な説明】
【図１】本発明の実施の形態の剥離洗浄器の概略図である。
【図２】本発明の実施の形態の変形例を示す説明図である。
【符号の説明】
１  高圧液噴射装置
２  タンク
３  ノズル
４  カバー
５  吸引装置
６  ろ過器
７  台車
８  発電機
９  高圧ポンプ
【図１】
0003984777.tif 000002
【図２】
0003984777.tif 000003